(57)【要約】【課題】    植物の肥料成分の吸収効率が高い液体肥料組成物を提供する。【解決手段】  ユーカリ抽出エキス、有機酸、キトサン、界面活性剤、及び肥料成分を含有し、ｐＨ３〜７の範囲である液体肥料組成物。前記ユーカリエキスが、ユーカリ葉を、水、アルコール、又は水とアルコールの混合物からなる溶媒を用いて抽出して得られた前記液体肥料組成物。前記界面活性剤が、ＨＬＢが１４以上の非イオン界面活性剤である前記液体肥料組成物。前記界面活性剤が、グリセリン脂肪酸エステル、ポリグリセリン脂肪酸エステル、ソルビタン脂肪酸エステル、プロピレングリコール脂肪酸エステル、ショ糖脂肪酸エステルよりなる群から選ばれる１種、又は２種以上の混合物である前記液体肥料組成物。【選択図】  なし【特許請求の範囲】
【請求項１】
ユーカリ抽出エキス、有機酸、キトサン、界面活性剤、及び肥料成分を含有し、ｐＨ３〜７の範囲であることを特徴とする液体肥料組成物。
【請求項２】
前記ユーカリエキスが、ユーカリ葉を、水、アルコール、又は水とアルコールの混合物からなる溶媒を用いて抽出して得られたことを特徴とする請求項１に記載の液体肥料組成物。
【請求項３】
前記界面活性剤が、ＨＬＢが１４以上の非イオン界面活性剤であることを特徴とする、請求項１〜２のいずれかに記載の液体肥料組成物。
【請求項４】
前記界面活性剤が、グリセリン脂肪酸エステル、ポリグリセリン脂肪酸エステル、ソルビタン脂肪酸エステル、プロピレングリコール脂肪酸エステル、ショ糖脂肪酸エステルよりなる群から選ばれる１種、又は２種以上の混合物であることを特徴とする請求項１〜２のいずれかに記載の液体肥料組成物。
【発明の詳細な説明】
【技術分野】
【０００１】
本発明は、植物あるいは土壌に散布、投与して用いる液体肥料組成物に関する。
【背景技術】
【０００２】
植物が成長するには種々の栄養要素が必要であるが、そのいくつかの要素が不足すると植物の生育に支障を来すことが知られている。肥料は植物に栄養要素を与え、生育を良くし、収穫率を上げると共に地力の衰退を防ぐために用いられている。肥料成分のうち、特に三要素である窒素、リン、カリウムは、植物栽培の栄養に欠かせないものである。窒素は植物の蛋白質合成、細胞の分裂および増殖、根の発育、葉茎の繁茂を促進し、また、養分の吸収を促進させる。リンは核酸やリン脂質の構成元素であり、エネルギー代謝や物質の合成、分解反応にも重要な役割を果たしている。また、リンは根の発育を促進させ根の養分吸収面を増大し、発芽を活発化し、植物の成熟を促進して実の収穫量を増大すると共に収穫物を良質化する。また、カリウムは物質代謝や物質移動の生理作用があり、根の発育、開花および結実を促進させる。その他にもマグネシウム、マンガン、カルシウム、鉄、ホウ素、イオウ、亜鉛等の種々の栄養素が必要である。
【０００３】
これらの肥料は、植物の生長に必要不可欠のものであるが、ある程度の濃度以上に与えても、肥料単独では植物の生長性および収量、品質の向上にはそれ以上貢献できない。
【０００４】
このような問題を解決するために、植物活力剤を植物あるいは土壌に投与して、植物の生長および収量を向上する技術が知られている。例えば、キトサンやキチンオリゴ糖等を用いたもの（特許文献１）、甘草抽出物を用いたもの（特許文献２）、アルコールを用いたもの（特許文献３、４）、グリセリン誘導体、有機酸誘導体を用いたもの（特許文献５、６）が開示されている。これらの文献は、肥料成分との併用を提案している。
【０００５】
キトサンに関しては、キトサンがオリゴ糖化して植物の蛋白源として働くメカニズムを利用した、キトサンと酸からなる植物活力剤が開示されている（特許文献７）。
【０００６】
また、キトサンは植物の活力を高めるだけでなく抗菌作用により植物の耐病性を高める効果があり、活力向上と耐病性向上の２つの相乗作用により肥料成分の吸収を旺盛にする性質を持っている。このキトサンの性質を利用した活力剤あるいは肥料が提案されている（特許文献１、８、９）。
【０００７】
キトサンと同様、抗菌作用を持つ素材として、コウヤマキ、ナギ、スギ、ヒノキ、ササ、カイズカイブキ、ユーカリ、アカマツの植物のｎ−ヘキサン抽出エキスあるいはアセトン抽出エキスが提案されている（特許文献１０）。ただし、これら抽出エキスは植物の生長を阻害するため、肥料と併用するのは好ましくない。
【０００８】
ところで、植物の肥料成分として最も使用されている化学肥料は、近年、その価格が暴騰しており、それが農産物価格高騰の原因となっている。肥料の三要素である窒素の主原料はナフサ・天然ガスであり、直接的に原油や天然ガスの価格高騰の影響を受けている。また肥料の三要素である、リン、カリウムの主原料は天然鉱石であり、埋蔵量・生産地に限りがあるため価格が高騰している。
【０００９】
これら化学肥料の価格高騰に対抗する方法として、植物による肥料成分の吸収効率を上げて成長を促進する作用を有し、結果として化学肥料の使用量が削減可能な肥料組成物が求められていた。
【００１０】
【特許文献１】特開平０９−１４３０１３号公報
【特許文献２】特開２０００−３０９５０２号公報
【特許文献３】特開２０００−１９８７０３号公報
【特許文献４】特開２００３−３００８０１号公報
【特許文献５】特開２００１−３１６２０７号公報
【特許文献６】特開２００１−３１６２０８号公報
【特許文献７】特開２００３−１０２２７６号公報
【特許文献８】特開平１０−２１８７１１号公報
【特許文献９】特開平１０−２１８７１３号公報
【特許文献１０】特開平０５−２１３７１１号公報
【発明の開示】
【発明が解決しようとする課題】
【００１１】
本発明は、植物の肥料成分の吸収効率が高い液体肥料組成物を提供することを課題とする。
【課題を解決するための手段】
【００１２】
本発明は、以下の各発明からなる。
［１］ユーカリ抽出エキス、有機酸、キトサン、界面活性剤、及び肥料成分を含有し、ｐＨ３〜７の範囲である液体肥料組成物。
【００１３】
［２］前記ユーカリエキスが、ユーカリ葉を、水、アルコール、又は水とアルコールの混合物からなる溶媒を用いて抽出して得られた［１］に記載の液体肥料組成物。
【００１４】
［３］前記界面活性剤が、ＨＬＢが１４以上の非イオン界面活性剤である［１］〜［２］のいずれかに記載の液体肥料組成物。
【００１５】
［４］前記界面活性剤が、グリセリン脂肪酸エステル、ポリグリセリン脂肪酸エステル、ソルビタン脂肪酸エステル、プロピレングリコール脂肪酸エステル、ショ糖脂肪酸エステルよりなる群から選ばれる１種、又は２種以上の混合物である［１］〜［２］のいずれかに記載の液体肥料組成物。
【発明の効果】
【００１６】
本発明の液体肥料組成物は、植物の肥料成分の吸収効率が高く、化学肥料の使用量を減らすことが可能である。
【発明を実施するための最良の形態】
【００１７】
本発明の液体肥料組成物は、ユーカリ抽出エキス、有機酸、キトサン、界面活性剤、及び肥料成分を含有する。
【００１８】
本発明で用いるユーカリ抽出エキスの原料は、ユーカリ属に属する植物であれば使用可能であるが、ユーカリプタス・グロブラス（Eucalyptus globulus）、ユーカリプタス・ビミナリス（Eucalyptus viminalis）、ユーカリプタス・ボトリオイデス（Eucalyptus botryoides）、ユーカリプタス・カマルドレンシス（Eucalyptus camaldulensis）、ユーカリプタス・グランディス（Eucalyptus grandis）、ユーカリプタス・マキュラータ（Eucalyptus maculata）等が好適に用いられる。また、これらのユーカリ属に属する植物は、単独で用いてもよく、２種以上を組み合わせて用いることも可能である。また、ユーカリ抽出エキスは、ユーカリ葉から抽出されることが収量や効率の面から特に好ましい。原料となるユーカリ葉は、生葉でも乾燥葉でも良く、また、生葉と乾燥葉を併用しても良い。
【００１９】
ユーカリ抽出に用いる溶媒は、水、アルコール、又は水とアルコールの混合物を用いることができる。
上記アルコールは状況に応じて適宜選択可能であり、一級アルコールであるエタノール、プロパノール、また、グリコールであるエチレングリコール、プロピレングリコール、ブチレングリコール等が特に好適に用いられる。また、本発明においては、２種以上の任意に選択されたアルコールを混合したものをアルコールとして用いることが可能である。
【００２０】
本発明において使用される有機酸としては、特に制限はないが、キレート作用を有して肥料成分を目的植物へ供給しやすくするものが好ましく、例えば、リンゴ酸、クエン酸、乳酸、アジピン酸、コハク酸、ケトグルタル酸、酒石酸、マロン酸、フマル酸、イタコン酸、マレイン酸、グルコン酸、シュウ酸、ヘプトン酸等が挙げられる。また、これらの有機酸は単独で、あるいは複数の種類を組み合わせて使用することもできる。
【００２１】
本発明で使用するキトサンは、一般的にキトサンと称されているものであれば、どのようなものでも使用可能である。
またキトサンは、Ｎ−アセチル−Ｄ−グルコサミンがβ−１，４結合によって結合した直鎖状多糖であるキチンを、主に濃アルカリによって脱アセチル化処理して製造した高分子物質で、希酸に可溶性の高分子である。
【００２２】
本発明において使用するキトサンの脱アセチル化度は、特に制限はないが、脱アセチル化度が低すぎるとキトサンの水への溶解度が低下するため、７０〜１００％が好ましい。
【００２３】
また、本発明で使用するキトサンの原料は特に制限されない。即ち、カニ、エビ等の
甲殻類の外骨格、微生物の細胞壁等、任意の原料に由来するものが使用可能である。
【００２４】
本発明において使用可能な界面活性剤としては、特に制限はないが、具体的には、グリセリン脂肪酸エステル、ポリグリセリン脂肪酸エステル、ソルビタン脂肪酸エステル、プロピレングリコール脂肪酸エステル、ショ糖脂肪酸エステル、ポリオキシエチレン硬化ヒマシ油、ポリオキシエチレンラノリン・ラノリンアルコール・ミツロウ誘導体、ポリオキシエチレンステロール・水素添加ステロール、ポリエチレングリコール脂肪酸エステル、ポリオキシアルキレングリセリン脂肪酸エステル、ポリオキシアルキレンポリグリセリン脂肪酸エステル、ポリオキシアルキレンソルビタン脂肪酸エステル、ポリオキシアルキレンアルキルエーテル、ポリオキシアルキレンアルキルフェニルエーテル、アルキル（ポリ）グリコシド、ポリオキシアルキレンアルキル（ポリ）グリコシド等が挙げられる。
【００２５】
この中でも、特に、グリセリン脂肪酸エステル、ポリグリセリン脂肪酸エステル、ソルビタン脂肪酸エステル、プロピレングリコール脂肪酸エステル、ショ糖脂肪酸エステルから選ばれる１種、または、２種以上の界面活性剤の混合物が好ましい。
【００２６】
本発明で使用する界面活性剤は、親水性の高い非イオン界面活性剤を使用することが好ましい。具体的にはグリフィン法によるＨＬＢが１４以上のものが好ましい。界面活性剤のＨＬＢが１４未満の場合、沈殿物が生じるおそれがある。
【００２７】
本発明において使用する肥料成分は、窒素、リン、カリウム、マグネシウム、マンガン、ホウ素、カルシウム、鉄、銅、亜鉛、モリブデン等の供給源となる無機物あるいは有機物である。
【００２８】
具体的な肥料成分としては、尿素、硝酸アンモニウム、硝酸ナトリウム、硝酸カリウム、硫酸アンモニウム、硫酸カリウム、硫酸マグネシウム、硫酸マンガン、塩化カリウム、塩化アンモニウム、第一リン酸アンモニウム、第二リン酸アンモニウム、第三リン酸アンモニウム、第一リン酸カリウム、第二リン酸カリウム、第三リン酸カリウム、炭酸アンモニウム、炭酸マグネシウム、ホウ砂、ホウ酸カルシウム、クエン酸カルシウム、グルコン酸カルシウム、コハク酸カルシウム、ギ酸カルシウム、酢酸カルシウム、プロピオン酸カルシウム、カプリル酸カルシウム、カプリン酸カルシウム、カプロン酸カルシウム、とうもろこし浸漬液肥料（コーンスティープリカー）、鰹煮汁、豚糞尿メタン消化液等が挙げられる。
ただし、ポリリン酸アンモニウム、ポリリン酸カリウム等のポリリン酸塩は、キトサンと反応して水に不溶かつ分散性のない沈殿物が発生するため、好ましくない。
なお、本発明で使用する肥料成分は、水溶性及び／又は水分散性であることが好ましい。
【００２９】
また、本発明の液体肥料組成物においては、肥料成分を安定させるために、キレート剤を混合することも可能である。具体的には、エチレンジアミンテトラ酢酸（ＥＤＴＡ）、シクロヘキサンジアミンテトラ酢酸（ＣＤＴＡ）、ニトリロトリ酢酸（ＮＴＡ）、イミノジ酢酸（ＩＤＡ）、Ｎ−（２−ヒドロキシエチル）イミノジ酢酸（ＨＩＭＤＡ）、ジエチレントリアミンペンタ酢酸（ＤＴＰＡ）、Ｎ−（２−ヒドロキシエチル）エチレンジアミントリ酢酸（ＥＤＴＡ−ＯＨ）およびグリコールエーテルジアミンテトラ酢酸（ＧＥＤＴＡ）等のアミノカルボン酸系キレート剤、並びにこれらの塩類が挙げられる。
【００３０】
本発明において、液体肥料組成物のｐＨが３〜７であることが好ましい。
ｐＨが３未満の場合、植物に投与する場合は葉枯れ、葉焼け等の現象が起こりやすく望ましくない。また、土壌に投与した場合は、酸性土壌に弱い作物では生育の停滞等の生理障害が発生する恐れがある。また、ｐＨが７を超えた場合には、キトサンが沈殿するという問題が発生するおそれがある。
【００３１】
本発明の液体肥料組成物には、本発明の目的を損なわない限り、必要に応じて任意の成分を配合することができる。たとえば、ビタミン類（チアミン、リボフラビン、ニコチン酸、ニコチン酸アミド等、パントテン酸、ピリドキシン、ピリドキサール、ピリドキサミン、オロチン酸、ビオチン、葉酸、アスコルビン酸）、アミノ酸（グリシン、セリン、アラニン、リジン、シスチン、システイン、エチオニン、チロシン、メチオニン等）、腐敗防止剤（安息香酸、ソルビン酸、プロピオン酸等）等が配合可能である。
【００３２】
本発明の液体肥料組成物におけるユーカリ抽出エキス、有機酸、キトサン、界面活性剤の含有量は、液体肥料組成物全体に対して、ユーカリ抽出エキス（固形分１．５％液換算）１〜６０質量％、有機酸０．１〜１０質量％、キトサン０．１〜５質量％、界面活性剤０．０５〜５質量％、肥料成分０．１〜５０質量％の比率であることが望ましい。
また、必要に応じて他の成分を配合し、バランス量の水を配合することができる。使用する水は、水道水、精製水、イオン交換水あるいは蒸留水等が挙げられるが、特に限定されない。
【００３３】
本発明の液体肥料組成物は、植物の葉面等に直接、あるいは土壌に散布して使用したり、植物育成用養液に添加して使用することができる。
投与する際は、施用される植物の必要栄養素量に応じて、液体肥料組成物を水で３〜８００容量倍に希釈して施用するのが好ましく、５〜３００倍に希釈して施用するのがより好ましい。希釈する水は、特に限定されない。
【００３４】
本発明の液体肥料組成物により処理できる植物としては、葉菜類では、ハクサイ、ツケナ類、チンゲンサイ、キャベツ、カリフラワー、ブロッコリー、メキャベツ、タマネギ、ネギ、ニンニク、ラッキョウ、ニラ、アスパラガス、レタス、サラダナ、セロリ、ホウレンソウ、シュンギク、パセリ、ミツバ、セリ、ウド、ミョウガ、フキ、シソ等が挙げられる。果菜類では、キュウリ、カボチャ、スイカ、メロン、トマト、ナス、ピーマン、イチゴ、オクラ、サヤインゲン、ソラマメ、エンドウ、エダマメ等が挙げられる。根菜類としては、ダイコン、カブ、ゴボウ、ニンジン、ジャガイモ、サトイモ、サツマイモ、ヤマイモ、ショウガ、レンコン等が挙げられる。その他、稲、麦類、トウモロコシ、飼料作物、花卉類、果樹および樹木等にも使用が可能である。
【実施例】
【００３５】
以下に実施例を挙げて本発明をより具体的に説明するが、もちろんこれらに限定されるものではない。なお、例中の「部」および「％」は、特に断わらない限りそれぞれ質量部および質量％を示す。
【００３６】
また、本発明でのｐＨの測定は、コンパクトｐＨメータ＜Ｔｗｉｎ  ｐＨ＞  Ｂ−２１２形（堀場製作所社製）を使用した。
【００３７】
下記のユーカリ抽出エキス、有機酸、キトサン、界面活性剤及び肥料成分を用いて、実施例１〜４、比較例１〜５、参考例の液体肥料組成物を調製した。
（１）ユーカリ抽出エキス（商品名「ユーカリエキス（５０％エタノール抽出物）」、エタノール濃度５０％、固形分１．５〜１．６％、王子木材緑化社製）
（２）有機酸  ：  乳酸（濃度９０％）
（３）キトサン（商品名「キミカキトサンＬＬＷＰ」、脱アセチル化度７５〜８５％、キミカ社製）
（４）界面活性剤
非イオン界面活性剤Ａ  ：  モノラウリン酸ポリグリセリル（商品名「サンソフトＭ−１２Ｊ」、グリフィン法によるＨＬＢ１５．５、太陽化学社製）
非イオン界面活性剤Ｂ  ：  モノカプリル酸ポリグリセリル（商品名「サンソフトＱ−８１Ｆ」、グリフィン法によるＨＬＢ１３．０、太陽化学社製）
（５）肥料成分
肥料Ａ：尿素（Ｎ４６％）
肥料Ｂ：リン酸二水素アンモニウム（Ｎ  １２％、Ｐ２Ｏ５  ６１％）
肥料Ｃ：リン酸二水素カリウム（Ｐ２Ｏ５  ５２％、Ｋ２Ｏ  ３４％）
肥料Ｄ：塩化カリウム（Ｋ２Ｏ  ６０％）
【００３８】
［実施例１］
キトサン１．５部を、水道水５８．２部に攪拌しながら加えて分散した後、乳酸１．８部を加えてキトサンを溶解した。さらに、肥料Ａ７．０部、肥料Ｃ２．５部、肥料Ｄ５．０部を加え、攪拌しながら溶解した。
次に、非イオン界面活性剤Ａ１．０部、ユーカリ抽出エキス２３部を加え、攪拌しながら混合し、実施例１の液体肥料組成物を得た（Ｎ  ３．２％、Ｐ２Ｏ５  １．３％、Ｋ２Ｏ  ３．８％）。
この液体肥料組成物のｐＨは、３．８であった。
【００３９】
［実施例２］
水道水を５９．２部、肥料Ａを７．５部、肥料Ｃを４．５部、肥料Ｄを１．５部とした以外は、全て実施例１と同様の調製方法で、実施例２の液体肥料組成物を得た（Ｎ  ３．４％、Ｐ２Ｏ５  ２．３％、Ｋ２Ｏ  ２．４％）。
この液体肥料組成物のｐＨは、４．０であった。
【００４０】
［実施例３］
キトサン１．５部を、水道水６７．２部に攪拌しながら加えて分散した後、乳酸１．８部を加えてキトサンを溶解した。さらに、肥料Ａ１．５部、肥料Ｂ１．０部、肥料Ｃ３．０部を加え、攪拌しながら溶解した。
次に、非イオン界面活性剤Ａ１．０部、ユーカリ抽出エキス２３部を加え、攪拌しながら混合し、実施例３の液体肥料組成物を得た（Ｎ  ０．８％、Ｐ２Ｏ５  ２．１％、Ｋ２Ｏ  １．０％）。
この液体肥料組成物のｐＨは、３．８であった。
【００４１】
［実施例４］
キトサン１．５０部を、水道水７１．２５部に攪拌しながら加えて分散した後、乳酸１．８０部を加えてキトサンを溶解する。さらに、肥料Ａ０．２８部、肥料Ｃ０．２４部、肥料Ｄ０．０８部を加え、攪拌しながら溶解する。
次に、非イオン界面活性剤Ａ１．８５部、ユーカリ抽出エキス２３．００部を加え、攪拌しながら混合し、実施例４の液体肥料組成物を得た（Ｎ  ０．１２％、Ｐ２Ｏ５  ０．１２％、Ｋ２Ｏ  ０．１２％）。
この液体肥料組成物のｐＨは、３．６であった。
【００４２】
［参考例］
非イオン界面活性剤Ａの代わりに、非イオン界面活性剤Ｂ１．０部を使用した以外は、全て実施例１と同様の調製方法で、参考例の液体肥料組成物を得た（Ｎ：３．２％、Ｐ２Ｏ５  １．３％、Ｋ２Ｏ  ３．８％）。
この液体肥料組成物のｐＨは、３．８であった。
【００４３】
［比較例１］
水道水を４０．０部、乳酸を２０．０部とした以外は、全て実施例１と同様の調製方法で、比較例１の液体肥料組成物を得た（Ｎ  ３．２％、Ｐ２Ｏ５  １．３％、Ｋ２Ｏ  ３．８％）。
この液体肥料組成物のｐＨは、２．５であった。
【００４４】
［比較例２］
肥料Ａ７．０部、肥料Ｃ２．５部、肥料Ｄ５．０部を、水道水８５．５部に攪拌しながら加えて溶解させ、比較例２の液体肥料組成物を得た（Ｎ  ３．２％、Ｐ２Ｏ５  １．３％、Ｋ２Ｏ  ３．８％）。
この液体肥料組成物のｐＨは、４．４であった。
【００４５】
［比較例３］
水道水を８６．５部、肥料Ａを７．５部、肥料Ｃを４．５部、肥料Ｄを１．５部とした以外は、比較例２と同様の調製方法で、比較例３の液体肥料組成物を得た（Ｎ  ３．４％、Ｐ２Ｏ5  ２．３％、Ｋ２Ｏ  ２．４％）。
この液体肥料組成物のｐＨは、４．４であった。
【００４６】
［比較例４］
肥料Ａ１．５部、肥料Ｂ１．０部、肥料Ｃ３．０部を、水道水９４．５部に攪拌しながら加えて溶解させ、比較例４の液体肥料組成物を得た（Ｎ  ０．８％、Ｐ２Ｏ５  ２．１％、Ｋ２Ｏ  １．０％）。
この液体肥料組成物のｐＨは、４．４であった。
【００４７】
［比較例５］
肥料Ａ０．２８部、肥料Ｃ０．２４部、肥料Ｄ０．０８部を、水道水９９．４０部に攪拌しながら加えて溶解させ、比較例５の液体肥料組成物を得た（Ｎ  ０．１２％、Ｐ２Ｏ５  ０．１２％、Ｋ２Ｏ  ０．１２％）。
この液体肥料組成物のｐＨは、５．６であった。
【００４８】
［比較例６］
キトサン１．５部を、水道水８２．２部に攪拌しながら加えて分散した後、乳酸１．８部を加えてキトサンを溶解した。さらに、肥料Ａ７．０部、肥料Ｃ２．５部、肥料Ｄ５．０部を加え、攪拌しながら溶解させ、比較例６の液体肥料組成物を得た（Ｎ  ３．２％、Ｐ２Ｏ５  １．３％、Ｋ２Ｏ  ３．８％）。
この液体肥料組成物のｐＨは、３．８であった。
【００４９】
［液体肥料組成物希釈試験］
実施例１〜４、比較例１〜６、及び参考例の液体肥料組成物を、水道水を用いて１０倍、及び２０倍に希釈した。
各希釈液を観察したところ、実施例１〜４、比較例１〜６の１０倍及び２０倍の希釈液は、沈殿物のない透明な液体となった。一方、参考例の１０倍及び２０倍の希釈液には、沈殿物が発生した。
【００５０】
［評価試験１（ホウレンソウに対する施肥試験）］
実施例１、比較例１、比較例２、及び比較例６の液体肥料組成物を、水道水を用いて１０倍に希釈して元肥用の１０倍希釈液を得た。
１０倍希釈液のｐＨは、実施例１でｐＨ３．６、比較例１でｐＨ２．４、比較例２でｐＨ５．４、比較例６でｐＨ３．６となった。
【００５１】
また、実施例１、比較例１、比較例２、及び比較例６の液体肥料組成物を、水道水を用いて２０倍に希釈して追肥用の２０倍希釈液を得た。
２０倍希釈液のｐＨは、実施例１でｐＨ３．７、比較例１でｐＨ２．５、比較例２でｐＨ５．８、比較例６でｐＨ３．７となった。
なお、元肥、追肥用の希釈液は全て沈殿物のない透明な液体となった。
【００５２】
（１）１平方メートルあたり苦土石灰２５０ｇ、堆肥２ｋｇ、実施例１の液体肥料組成物の１０倍希釈液２．５ｋｇを、元肥として施肥した土壌を準備した。
上記の土壌にホウレンソウを播種後、追肥として実施例１の２０倍希釈液を１平方メートルあたり２ｋｇ、３週間に１回の頻度で土壌散布を行いながら、ホウレンソウを栽培した。
【００５３】
（２）１平方メートルあたり苦土石灰２５０ｇ、堆肥２ｋｇ、比較例１の液体肥料組成物の１０倍希釈液２．５ｋｇを、元肥として施肥した土壌を準備した。
上記の土壌にホウレンソウを播種後、追肥として比較例１の２０倍希釈液を１平方メートルあたり２ｋｇ、３週間に１回の頻度で土壌散布を行いながら、ホウレンソウを栽培した。
【００５４】
（３）１平方メートルあたり苦土石灰２５０ｇ、堆肥２ｋｇ、比較例２の液体肥料組成物の１０倍希釈液２．５ｋｇを、元肥として施肥した土壌を準備した。
上記の土壌にホウレンソウを播種後、追肥として比較例２の２０倍希釈液を１平方メートルあたり２ｋｇ、３週間に１回の頻度で土壌散布を行いながら、ホウレンソウを栽培した。
【００５５】
（４）１平方メートルあたり苦土石灰２５０ｇ、堆肥２ｋｇ、比較例６の液体肥料組成物の１０倍希釈液２．５ｋｇを、元肥として施肥した土壌を準備した。
上記の土壌にホウレンソウを播種後、追肥として比較例６の２０倍希釈液を１平方メートルあたり２ｋｇ、３週間に１回の頻度で土壌散布を行いながら、ホウレンソウを栽培した。
【００５６】
（１）〜（４）の栽培の結果、実施例１を施肥したホウレンソウは、比較例２、及び比較例６を施肥したホウレンソウに比べて生育が早く、また、色艷が良く緑色の濃い肉厚で幅のある葉が形成された。また、比較例１を施肥したホウレンソウは、本葉２〜３枚で生育が停まり、最終的に枯れた。
【００５７】
［評価試験２（コマツナに対する施肥試験）］
実施例１、比較例１、比較例２、及び比較例６の液体肥料組成物を、水道水を用いて１０倍に希釈して元肥用の１０倍希釈液を得た。
１０倍希釈液のｐＨは、実施例１でｐＨ３．６、比較例１でｐＨ２．４、比較例２でｐＨ５．４、比較例６でｐＨ３．６となった。
【００５８】
実施例１、比較例１、比較例２、及び比較例６の液体肥料組成物を、水道水を用いて５０倍に希釈して追肥用の５０倍希釈液を得た。
５０倍希釈液のｐＨは、実施例１でｐＨ４．１、比較例１でｐＨ２．７、比較例２でｐＨ６．１、比較例６でｐＨ４．１となった。
【００５９】
なお、元肥、追肥用の希釈液は全て沈殿物のない透明な液体となった。
【００６０】
（１）１平方メートルあたり苦土石灰１７０ｇ、堆肥２ｋｇ、実施例１の液体肥料組成物の１０倍希釈液２ｋｇを、元肥として施肥した土壌を準備した。
上記土壌にコマツナを播種し、本葉２枚展開時期から追肥として実施例１の５０倍希釈液を１株あたり５０ｇ、１週間に１回の頻度で葉面散布を行いながら、コマツナを栽培した。
【００６１】
（２）１平方メートルあたり苦土石灰１７０ｇ、堆肥２ｋｇ、比較例１の液体肥料組成物の１０倍希釈液２ｋｇを、元肥として施肥した土壌を準備した。
上記土壌にコマツナを播種し、本葉２枚展開時期から追肥として比較例１の５０倍希釈液を１株あたり５０ｇ、１週間に１回の頻度で葉面散布を行いながら、コマツナを栽培した。
【００６２】
（３）１平方メートルあたり苦土石灰１７０ｇ、堆肥２ｋｇ、比較例２の液体肥料組成物の１０倍希釈液２ｋｇを、元肥として施肥した土壌を準備した。
比較例２の１０倍希釈液を施肥した土壌にコマツナを播種し、本葉２枚展開時期から追肥として比較例２の５０倍希釈液を１株あたり５０ｇ、１週間に１回の頻度で葉面散布を行いながら、コマツナを栽培した。
【００６３】
（４）１平方メートルあたり苦土石灰１７０ｇ、堆肥２ｋｇ、比較例６の液体肥料組成物の１０倍希釈液２ｋｇを、元肥として施肥した土壌を準備した。
比較例２の１０倍希釈液を施肥した土壌にコマツナを播種し、本葉２枚展開時期から追肥として比較例２の５０倍希釈液を１株あたり５０ｇ、１週間に１回の頻度で葉面散布を行いながら、コマツナを栽培した。
【００６４】
（１）〜（４）の栽培の結果、実施例１を施肥したコマツナは、比較例比較例２、及び比較例６を施肥したコマツナに比べて生育が早く、また、色艷が良くて緑色の濃い肉厚で幅のある葉が形成された。また、比較例１を施肥したコマツナは、次第に葉が黄色くなり、枯れた。
【００６５】
［評価試験３（トマトに対する施肥試験）］
実施例２、比較例３の液体肥料組成物を、水道水を用いて１０倍に希釈して元肥用１０倍希釈液を得た。
１０倍希釈液のｐＨは、実施例２でｐＨ３．７、比較例３でｐＨ５．２となった。
【００６６】
追肥用として、実施例２、比較例３の液体肥料組成物を、水道水を用いて２００倍に希釈した。２００倍希釈液のｐＨは、実施例２でｐＨ５．９、比較例３でｐＨ６．４となった。
【００６７】
（１）１平方メートルあたり苦土石灰１５０ｇ、過燐酸石灰４０ｇ、堆肥２ｋｇ、実施例２の液体肥料組成物の１０倍希釈液２．５ｋｇを、元肥として施肥した土壌を準備した。
上記土壌にトマトの苗を定植し、追肥として実施例２の２００倍希釈液を１株あたり５０ｇ、１週間に１回の頻度で葉面散布を行いながら、トマトを栽培した。
【００６８】
（２）１平方メートルあたり苦土石灰１５０ｇ、堆肥２．５ｋｇ、比較例３の液体肥料組成物の１０倍希釈液２．５ｋｇを、元肥として施肥した土壌を準備した。
上記土壌にトマトの苗を定植し、追肥として比較例３の２００倍希釈液を１株あたり５０ｇ、１週間に１回の頻度で葉面散布を行いながら、トマトを栽培した。
【００６９】
（１）〜（２）の栽培の結果、実施例２を施肥したトマトは、比較例３を施肥したトマトに比べて生育が早く、また、色艶の良い実が形成された。また、比較例３を施肥したトマトには、一部の葉でうどん粉病が発症した。
【００７０】
［評価試験４（バラに対する施肥試験）］
実施例３、比較例４の液体肥料組成物を、水道水を用いて１００倍に希釈して追肥用１００倍希釈液を得た。
１００倍希釈液のｐＨは、実施例３でｐＨ４．８、比較例４でｐＨ６．１となった。
なお、追肥用の希釈液は全て沈殿物のない透明な液体となった。
【００７１】
（１）市販の園芸用土（商品名：バラの土，花ごころ社製）を土壌とした鉢に、バラの大苗を定植し、追肥として実施例３の１００倍希釈液を１株あたり１００ｇ、１週間に１回の頻度で葉面散布を行いながら、バラが開花してから２週間栽培した。
【００７２】
（２）市販の園芸用土（商品名：バラの土，花ごころ社製）を土壌とした鉢に、バラの大苗を定植し、追肥として比較例４の１００倍希釈液を１株あたり１００ｇ、１週間に１回の頻度で葉面散布を行いながら、バラが開花してから２週間栽培した。
【００７３】
（１）〜（２）の栽培の結果、実施例３を施肥したバラは、比較例４を施肥したバラと比較すると、より花弁の色が鮮やかで、茎は太く、葉は大きく厚みがあった。また、比較例４を施肥したバラの葉には、黒星病が発症していた。
【００７４】
［評価試験５（トマトに対する施肥）］
実施例４、比較例５の液体肥料組成物を、水道水を用いて１２．５倍に希釈して、追肥用１２．５倍希釈液を得た。
１２．５倍希釈液のｐＨはそれぞれ、実施例４でｐＨ３．７、比較例５でｐＨ６．５となった。
【００７５】
なお、追肥用の希釈液は全て沈殿物のない透明な液体となった。
【００７６】
（１）市販の園芸用土（商品名：ニッピ園芸培土１号，日本肥糧社製）を土壌としたプランターにトマトの苗を定植し、実施例４の１２．５倍希釈液を１株あたり１００ｇ、１週間に１回の頻度で葉面散布を行いながら、トマトが実をつけるまで栽培した。
（２）市販の園芸用土（商品名：ニッピ園芸培土１号，日本肥糧社製）を土壌としたプランターにトマトの苗を定植し、比較例５の１２．５倍希釈液を１株あたり１００ｇ、１週間に１回の頻度で葉面散布を行いながら、トマトが実をつけるまで栽培した。
【００７７】
（１）〜（２）の栽培の結果、実施例４を施肥したトマトは、比較例５を施肥したトマトと比較すると生育が早く、大きく色艶の良い実が形成された。また、比較例５のトマトでは、一部の葉でうどん粉病を発症した。
【産業上の利用可能性】
【００７８】
本発明は、植物の肥料成分の吸収効率が高く、化学肥料の使用量を減らすことが可能な液体肥料組成物を提供する。